(57)【要約】圧力安全デバイスが、過加圧を防止するために、バッグバルブマスク（ＢＶＭ）と併用される。ＢＶＭは、患者マスク上のマスクコネクタに取外可能に噛合するためのバッグコネクタを有するバッグアセンブリを含む。圧力安全デバイスは、バッグポートと、マスク取付具と、バッグポートからマスク取付具への流路とを伴う筐体を有する。バッグポートは、ＢＶＭ上のバッグコネクタに取外可能に接続し、マスク取付具は、ＢＶＭ上のマスクコネクタに取外可能に接続する。圧力安全デバイスは、筐体の中の流路上に位置する自動流動低減弁を含み、弁のバッグコネクタ側上の圧力が最大閾値を超過すると、流動を妨げる。
2021525633.tif 000002
【特許請求の範囲】
【請求項１】
患者マスク上のマスクコネクタに取外可能に噛合するためのバッグコネクタを有するバッグアセンブリを含むバッグバルブマスク（ＢＶＭ）との併用のための圧力安全デバイスであって、前記圧力安全デバイスは、
バッグポートと、マスク取付具と、前記バッグポートから前記マスク取付具への流路とを有する筐体であって、前記バッグポートは、前記ＢＶＭ上の前記バッグコネクタに取外可能に接続するように構成され、前記マスク取付具は、前記ＢＶＭ上の前記マスクコネクタに取外可能に接続するように構成される、筐体と、
前記筐体の中の前記流路上に位置する自動流動低減弁であって、前記自動流動低減弁は、前記自動流動低減弁のバッグコネクタ側の圧力または流率が最大閾値を超過すると、流動を妨げるように構成される、自動流動低減弁と
を備える、圧力安全デバイス。
【請求項２】
前記自動流動低減弁は、前記最大閾値が５ｍｍＨｇ〜２０ｍｍＨｇの範囲内の圧力であるとき、流動を妨げるように構成される、請求項１に記載の圧力安全デバイス。
【請求項３】
前記自動流動低減弁は、前記最大閾値が３０ｌ／分〜７０ｌ／分の範囲内のピーク流率を含むとき、流動を妨げるように構成される、請求項１に記載の圧力安全デバイス。
【請求項４】
前記自動流動低減弁は、アンブレラ弁を含む、請求項１に記載の圧力安全デバイス。
【請求項５】
前記自動流動低減弁は、ばねピストン弁を含む、請求項１に記載の圧力安全デバイス。
【請求項６】
前記自動流動低減弁は、流動を完全に遮断するように構成される、請求項１に記載の圧力安全デバイス。
【請求項７】
前記自動流動低減弁は、残留バイパス流動を可能にするように構成される、請求項１に記載の圧力安全デバイス。
【請求項８】
前記流路の中に一方向弁をさらに備え、前記マスク取付具からの吐出流動を変向するように配向される、請求項１に記載の圧力安全デバイス。
【請求項９】
前記筐体は、前記一方向弁からのバイパスする吐出流動を前記筐体の外部に通過させるように配向される開窓を有する、請求項８に記載の圧力安全デバイス。
【請求項１０】
患者マスク上のマスクコネクタに取外可能に噛合するためのバッグコネクタを有するバッグアセンブリを含むバッグバルブマスク（ＢＶＭ）を修正するための方法であって、前記方法は、
バッグポートとマスク取付具とを有する圧力安全デバイス（ＰＳＤ）を提供することと、
前記ＰＳＤの前記バッグポートおよび前記マスク取付具を、それぞれ、前記ＢＶＭの前記バッグコネクタおよび前記マスクコネクタに接続することと
を含み、
前記ＰＳＤは、前記ＰＳＤの前記バッグポートに進入する呼吸ガスの圧力または流率が最大閾値を超過すると、前記ＢＶＭから前記呼吸マスクへの呼吸ガス流動を妨げるように構成される、方法。
【請求項１１】
前記自動流動低減弁は、前記最大閾値が９ｍｍＨｇ〜２０ｍｍＨｇの範囲内の圧力であるとき、流動を妨げるように構成される、請求項１０に記載の方法。
【請求項１２】
前記自動流動低減弁は、前記最大閾値が３０ｌ／分〜７０ｌ／分の範囲内のピーク流量を含むとき、流動を妨げるように構成される、請求項１０に記載の方法。
【請求項１３】
前記ＰＳＤは、前記ＰＳＤの前記バッグポートと前記マスク取付具との間の流路上に位置する自動流動低減弁を備え、前記自動流動低減弁は、前記弁のバッグコネクタ側の流動または圧力が最大閾値を超過すると、前記呼吸ガス流動を妨げるように構成される、請求項１０に記載の方法。
【請求項１４】
前記自動流動低減弁は、アンブレラ弁を含む、請求項１３に記載の方法。
【請求項１５】
前記自動流動低減弁は、ばねピストン弁を含む、請求項１３に記載の方法。
【請求項１６】
前記ＰＳＤは、流動を完全に遮断するように構成される、請求項１０に記載の方法。
【請求項１７】
前記ＰＳＤは、残留バイパス流動を可能にするように構成される、請求項１０に記載の方法。
【請求項１８】
前記ＰＳＤは、一方向弁をさらに備え、前記一方向弁は、前記流路の中に位置し、前記マスク取付具からの吐出流動を変向するように配向される、請求項１０に記載の方法。
【請求項１９】
前記ＰＳＤは、前記一方向弁からの吐出流動を前記ＰＳＤの外部にバイパスする、請求項１８に記載の方法。
【請求項２０】
バッグバルブマスク（ＢＶＭ）アセンブリであって、
マニホールドと、
呼吸ガスを前記マニホールドに送達するように取り付けられる圧縮バッグと、
前記マニホールドから前記呼吸ガスを受け取るように取り付けられる呼吸マスクと、
前記圧縮バッグと前記呼吸マスクとの間の前記マニホールドの中の流路上に位置する自動流動低減弁であって、前記自動流動低減弁は、前記自動流動低減弁の圧縮バッグ側上の流率または圧力が最大閾値を超過すると、流動を妨げるように構成される、自動流動低減弁と
を備える、ＢＶＭアセンブリ。
【請求項２１】
前記自動流動低減弁は、前記最大閾値が５ｍｍＨｇ〜２０ｍｍＨｇの範囲内の圧力であるとき、流動を妨げるように構成される、請求項２０に記載のＢＶＭアセンブリ。
【請求項２２】
前記自動流動低減弁は、前記最大閾値が３０ｌ／分〜７０ｌ／分の範囲内のピーク流率を含むとき、流動を妨げるように構成される、請求項２０に記載のＢＶＭアセンブリ。
【請求項２３】
前記自動流動低減弁は、アンブレラ弁を含む、請求項２０に記載のＢＶＭアセンブリ。
【請求項２４】
前記自動流動低減弁は、ばねピストン弁を含む、請求項２０に記載のＢＶＭアセンブリ。
【請求項２５】
前記自動流動低減弁は、流動を完全に遮断するように構成される、請求項２０に記載のＢＶＭアセンブリ。
【請求項２６】
前記自動流動低減弁は、残留バイパス流動を可能にするように構成される、請求項１８に記載のＢＶＭアセンブリ。
【請求項２７】
呼吸ガスを患者に送達するための方法であって、前記方法は、
前記患者の口および／または鼻にわたって呼吸マスクを設置することと、
圧縮バッグを圧縮し、前記呼吸ガスを前記呼吸マスクおよび前記患者に送達することと、
前記呼吸バッグからの圧力または流率が最大値を超過する場合、前記呼吸ガスの流動を妨げることと
を含む、方法。
【請求項２８】
前記自動流動低減弁は、最大閾値が９ｍｍＨｇ〜２０ｍｍＨｇの範囲内の圧力であるとき、流動を妨げるように構成される、請求項２７に記載の方法。
【請求項２９】
前記自動流動低減弁は、最大閾値が３０ｌ／分〜７０ｌ／分の範囲内のピーク流率を含むとき、流動を妨げるように構成される、請求項２７に記載の方法。
【請求項３０】
妨げることは、前記圧縮バッグと前記呼吸マスクとの間の流路の中に自動流動低減弁を設置することを含み、前記自動流動低減弁は、前記圧縮バッグからの圧力が最大閾値を超過すると、呼吸ガス流動を妨げるように構成される、請求項２７に記載の方法。
【請求項３１】
前記自動流動低減弁は、アンブレラ弁を含む、請求項３０に記載の方法。
【請求項３２】
前記自動流動低減弁は、ばねピストン弁を含む、請求項２９に記載の方法。
【請求項３３】
前記自動流動低減弁は、流動を完全に遮断するように構成される、請求項２９に記載の方法。
【請求項３４】
前記自動流動低減弁は、残留バイパス流動を可能にするように構成される、請求項２９に記載の方法。
【発明の詳細な説明】
【技術分野】
【０００１】
（相互参照）
本願は、２０１８年６月１日に出願された米国仮出願第６２／６７９，３０１号の利益を主張し、この出願が、参照により本明細書に援用される。
【０００２】
１．発明の分野
本発明は、概して、医療用デバイスおよび方法に関する。より具体的には、本発明は、手動蘇生器を使用する呼吸ガス送達の分野に関する。
【０００３】
バッグバルブマスク蘇生器（ＢＶＭ）は、自身では呼吸することができない患者（例えば、心不全の状態にある患者、呼吸困難を患っている患者、麻酔下にある患者、および同等の状態にある患者）を手動で換気するために、長い間、使用されている。従来のＢＶＭは、圧縮バッグを有し、圧縮バッグは、ユーザによって手動で圧縮され、患者の口および鼻にわたって保持される呼吸マスクを通して患者に呼吸ガスを加圧ならびに送達する。
【０００４】
ＢＶＭを使用する不十分な手動技法は、問題となり得る。特に、圧縮バッグの過加圧は、呼吸ガスの圧力および流率の両方を最適なレベルを超えて増加させ得、最悪の場合には、患者を潜在的に損傷させ、いくつかの場合には、安全なレベルでは、例えば、胃の中への空気の進入を引き起こし得る。いくつかの解決策（例えば、圧縮バッグと呼吸マスクとの間の流路の中に圧力逃がし弁を設置すること）が提案されているが、結果として生じる通気は、常時効果的であるわけではなく、ユーザが印加している圧力を低減させる必要があることを彼らに警告するための、彼らへの触覚または他のフィードバックは存在しない。
【０００５】
したがって、ＢＶＭを使用しているときに過加圧を限定するための代替のおよび改良された装置および方法を提供することが、本発明の目的である。特に、通気を伴うことなく、過加圧されるＢＶＭ呼吸ガスの送達を限定することが、本発明の目的である。そのような過加圧が生じたときに、ユーザに触覚または他のフィードバックを提供することも、本発明のさらなる目的である。目的のうちの少なくともいくつかのものが、本明細書に説明および請求される本発明によって充足される。
【背景技術】
【０００６】
２．背景技術
米国特許第５，５５７，０４９号は、患者に送達されているガスの圧力を示すためのＢＶＭへの付属品としての使い捨て可能な圧力計を開示する。米国特許第５，７２２，３９４号は、高圧排気弁を有するＢＶＭを示す。米国特許第５，５３７，９９８号は、過剰な空気圧を感知および排気するばね荷重ピストンを開示する。米国特許第４，８９８，１６６号は、蘇生バッグ制御装置を開示し、米国特許第６，７９２，９４７号は、流動制御を有するＢＶＭを開示する。米国特許第２０１５／００９６５５９号Ａ１は、ＢＶＭのためのフィードバックセンサを開示する。
【先行技術文献】
【特許文献】
【０００７】
【特許文献１】米国特許第５，５５７，０４９号明細書
【特許文献２】米国特許第５，７２２，３９４号明細書
【特許文献３】米国特許第５，５３７，９９８号明細書
【特許文献４】米国特許第４，８９８，１６６号明細書
【特許文献５】米国特許第６，７９２，９４７号明細書
【特許文献６】米国特許出願公開第２０１５／００９６５５９号明細書
【発明の概要】
【課題を解決するための手段】
【０００８】
本発明は、バッグバルブマスク（ＢＶＭ）蘇生器を用いた手動の換気中に患者への気流を最適化し、胃の中への空気の進入を最小限にしながら、十分な換気および肺の灌流を維持することにおいて有用である。特に、本発明は、最適な流出圧力が超過されると、ＢＶＭの圧縮バッグからの気流を遮断することによって、患者への吸気圧を制御する。患者を保護することに加えて、背圧によって引き起こされるバッグの硬化は、適切な手動換気技法のための教示または補強のツールとして、ユーザに「触覚フィードバック」を提供する。
【０００９】
本発明は、したがって、ＢＶＭ蘇生器を使用して手動の換気を実施しながら、安全性を向上させ、同時の手技（例えば、胃ガス吹送、誤嚥、誤嚥性肺炎、急性呼吸促拍症候群（ＡＲＤＳ）、心肺機能低下）における合併症を最小限にさせることができる。本発明はまた、人的過誤および変動性を低減させ、患者の処置の質を改良し、保健システムへの処置送達のコストを低減させることができる。
【００１０】
本発明は、マスク、気管内チューブ、ラリンジアルマスク、口腔マスク、および同等物等、任意の陽圧空気送達デバイス、インピーダンス閾値付属デバイス、エアフィルタ、ならびに／もしくは蘇生アウトレットデバイスと併用され得る。本発明はまた、肺シミュレーションシステム、動物、死体、訓練機器、および同等物のような、患者以外の任意のエンティティへの空気送達のために使用され得る。
【００１１】
第１の側面では、本発明は、バッグバルブマスク（ＢＶＭ）との併用のための圧力安全デバイスを提供する。ＢＶＭは、典型的には、患者マスク上のマスクコネクタに取外可能に噛合するためのバッグコネクタを有するバッグアセンブリを含む。バッグアセンブリはまた、典型的には、少なくとも圧縮バッグを有し、圧縮バッグは、ユーザが、圧縮バッグを手動で圧縮し、ある体積または投与量の空気または他の呼吸ガスをマスクを介して患者に送達することを可能にする。ＢＶＭは、従来の手動ガス蘇生器に典型的な種々の他の構成要素を含み得る。
【００１２】
本発明の圧力安全デバイスは、筐体と、自動流動低減弁とを含む。筐体は、典型的には、バッグポートと、マスク取付具と、バッグポートからマスク取付具への流路を画定するように構成される通路を伴う内部とを有する。バッグポートは、通常、ＢＶＭ上のバッグコネクタに取外可能に接続するように構成され、マスク取付具は、典型的には、ＢＶＭ上のマスクコネクタに取外可能に接続するように構成される。自動流動低減弁は、筐体の中の流路上にまたは筐体の中の流路に沿って位置し、自動流動低減弁を通した呼吸ガスの圧力または流率あるいは自動流動低減弁のバッグコネクタ側上の圧力が最大閾値を超過すると、流動を妨げるように構成される。
【００１３】
具体的事例では、自動流動低減弁は、最大閾値圧力値が、５ｍｍＨｇ〜２０ｍｍＨｇの範囲内、通常では、９ｍｍＨｇ〜１５ｍｍＨｇの範囲内の圧力を含むとき、流動を妨げるように構成され得る。代替として、または加えて、自動流動低減弁は、最大閾値流動値が、３０ｌ／分〜７０ｌ／分、典型的には、３５ｌ／分〜５０ｌ／分の範囲内のピーク流率を含むとき、流動を妨げるように構成され得る。
【００１４】
本発明の自動流動低減弁は、典型的には、いくつかの従来の機械的設計（例えば、アンブレラ弁、ばねピストン弁、および同等物）のうちのいずれか１つを有する。代替として、本発明の自動流動低減弁は、本明細書に説明される本発明の原理に従ってＢＶＭを通した流動を遮断または阻止するために、圧力センサと流動センサとマイクロプロセッサコントローラと電動弁とを含む電子構成要素を組み込み得る。
【００１５】
自動流動低減弁は、いくつかの事例では、流動を完全に遮断するように、および／または、他の事例では、流動を部分的に遮断するように構成され得る。「部分的に遮断される流動」とは、流率が、制限されていない値の少なくとも５０％、典型的には、制限されていない値の少なくとも６０％、しばしば、制限されていない値の少なくとも７５％、多くの場合、制限されていない値の少なくとも９０％以上低減されることを意味する。他の事例では、自動流動低減弁は、所望の使用に応じて、自動流動低減弁が流動を完全に遮断するようにまたは流動を部分的に遮断するように設定されることができるように、調節可能であり得る。例えば、ばねピストンタイプ弁のばねは、可変の設置点または可変の負荷調節を有し、弁が閉鎖する圧力または流率の設定点が変更されることを可能にし得る。自動流動低減弁が流動を完全に遮断しないとき、低減された圧力および／または流率において呼吸ガスが患者に送達されるために残存する残留流路が存在することを理解されたい。
【００１６】
本発明の圧力安全デバイスは、バッグポートからマスク取付具への流路の中にまたはバッグポートからマスク取付具への流路に沿って設置される一方向弁をさらに備え得、一方向弁は、ＢＶＭマスクからマスク取付具を通して筐体に進入する吐出流動を遮断または変向するように配向される。典型的には、筐体は、一方向弁から筐体の外部への変向または遮断された吐出流動を解放するように配向される開窓または他の開口部を有するように構成される。開窓によって提供される流動抵抗の変化は、肺の内側の圧力（ＰＥＥＰ）を構築または他の態様で制御するために使用されることができる。
【００１７】
第２の側面では、本発明は、典型的には、可逆的に、上記に説明されるようなバッグアセンブリとバッグコネクタとを含むバッグバルブマスク（ＢＶＭ）を修正するための方法を提供する。本発明によるＢＶＭを修正するための方法は、マスク取付具の中にバッグポートを有する圧力安全デバイス（ＰＳＤ）を提供することと、ＰＳＤのバッグポートおよびマスク取付具を、それぞれ、ＢＶＭのバッグコネクタおよびマスクコネクタに接続することとを含む。ＰＳＤは、ＰＳＤのバッグポートに進入する呼吸ガスの圧力または流率が最大閾値を超過すると、ＢＶＭから患者への呼吸ガス流動を妨げるように構成される。
【００１８】
ＰＳＤの具体的な側面およびＢＶＭに関連するその使用は、ＰＳＤの構築に関連して以前に説明されている。
【００１９】
第３の側面では、本発明は、マニホールドと、呼吸ガスをマニホールドに送達するように取り付けられる圧縮バッグと、マニホールドから呼吸ガスを受け取るように取り付けられる呼吸マスクとを含むバッグバルブマスク（ＢＶＭ）アセンブリを提供する。本発明の原理によると、自動流動低減弁が、圧縮弁と呼吸マスクとの間のマニホールドの中の流路上に位置する。自動流動低減弁は、自動流動低減弁の圧縮バッグ側上の流率または圧力が最大閾値を超過すると、流動を妨げるように構成される。
【００２０】
上記に説明された以前のデバイスおよび方法と同様に、自動流動低減弁は、最大閾値圧力値が、５ｍｍＨｇ〜２０ｍｍＨｇの範囲内、通常では、９ｍｍＨｇ〜１５ｍｍＨｇの範囲内の圧力を含むとき、流動を妨げるように構成され得る。代替として、または加えて、自動流動低減弁は、最大閾値流動値が、３０ｌ／分〜７０ｌ／分、典型的には、３５ｌ／分〜５０ｌ／分の範囲内のピーク流率を含むとき、流動を妨げるように構成され得る。
【００２１】
ＢＶＭアセンブリの自動流動低減弁の他の特徴および仕様も、ＰＳＤとＢＶＭを修正するための方法とに関して以前に説明された通りであり得る。
【００２２】
本発明の第４の側面では、呼吸ガスを患者に送達するための方法は、患者の口および鼻にわたって呼吸マスクを設置することを含む。圧縮バッグが、次いで、圧縮され、呼吸ガスを呼吸マスクおよび患者に送達する。呼吸マスクに送達される呼吸ガスの流動が、呼吸ガスバッグからの圧力または流率が最大値を超過する場合、妨げられる。
【００２３】
これらの方法の具体的事例では、マスクへの呼吸ガスの流動を妨げることは、圧縮バッグと呼吸マスクとの間の流路の中に自動流動低減弁を設置することを含む。自動流動低減弁は、圧縮バッグからの流率または圧力が最大閾値を超過すると、呼吸ガス流動を妨げるように構成される。
【００２４】
自動流動低減弁は、ＢＶＭの構造の中へ直接組み込まれてもよい、または、代替として、上記に説明されたような別個のＰＳＤとして提供されてもよい。自動流動低減弁の具体的な特性は、概して、上記に記載された本発明のデバイスおよび方法において以前に説明されたものと同一であってもよい。
【００２５】
本発明のある実施形態は、手動の換気中に十分な体積を送達するために高圧力の使用を要求する閉塞的または制限的症状が存在するある症状を処置するときに、ＰＳＤが、ＢＶＭから除去されることができる点で、特に有利である。しかしながら、他の場合では、高圧の換気がＰＳＤコンポーネントによって統制されないことを可能にするための無効化機構を伴うＢＶＭのマニホールドまたは他の構造の中に、ＰＳＤを、統合されたコンポーネントとして組み込ませることが、可能性として考えられる。
【００２６】
本発明のＰＳＤは、緊急医療サービス（ＥＭＳ）空間における採用のための基準を充足するために、ハンドヘルド式、軽量、持ち運び可能、耐久性、およびコスト効率の高いものであるように構成される。換気中、本デバイスは、肺との連続的な気柱を形成するため、流動遮断弁のための圧力閾値は、患者の胸部内圧と相対的であり、胃ガス吹送を防止しながら肺への気流を最適化するために閾値のパーソナル化をもたらす。
【００２７】
参照による援用
本明細書に言及される全ての公開文書、特許、および特許出願は、各個々の公開文書、特許、および特許出願が参照により援用されると具体的かつ個々に示された場合と同程度に、参照により本明細書に援用される。
【図面の簡単な説明】
【００２８】
本発明の新規の特徴は、添付される請求項において具体的に記載される。本発明の特徴および利点のより良い理解が、本発明の原理が利用される例証的実施形態を記載する以下の詳細な説明と、付随の図面とを参照することによって得られる。
【００２９】
【図１Ａ】図１Ａおよび図１Ｂは、その中に組み込まれている本発明の圧力安全デバイスを有する従来のバッグバルブマスク（ＢＶＭ）装置を図示する。
【図１Ｂ】図１Ａおよび図１Ｂは、その中に組み込まれている本発明の圧力安全デバイスを有する従来のバッグバルブマスク（ＢＶＭ）装置を図示する。
【００３０】
【図２】図２は、自動流動低減弁としてアンブレラ弁を有する、本発明の圧力安全デバイスの第１の実施形態の分解図である。
【００３１】
【図３】図３Ａおよび図３Ｂは、アンブレラ弁を伴う図２の圧力安全デバイスの断面図であり、図３Ａには、開放構成にあるアンブレラ弁が示され、図３Ｂには、閉鎖構成にあるエンブレラ弁が示される。
【００３２】
【図４】図４は、本発明の原理に従って構築された、自動流動低減弁としてばね荷重弁を有する圧力安全デバイスの代替実施形態の分解図である。
【００３３】
【図５】図５は、図４の圧力安全デバイスの断面図であり、開放構成（実線）および閉鎖構成（点線）にあるばね荷重弁のシールプレートを示す。
【００３４】
【図６】図６は、ばね荷重弁のシールプレートの詳細図である。
【００３５】
【図７Ａ】図７Ａおよび図７Ｂは、圧力安全デバイスの中の一方向弁によって遮断される患者からの吐出ガスの解放のための、圧力安全デバイスの筐体の中の開窓を図示する。
【図７Ｂ】図７Ａおよび図７Ｂは、圧力安全デバイスの中の一方向弁によって遮断される患者からの吐出ガスの解放のための、圧力安全デバイスの筐体の中の開窓を図示する。
【発明を実施するための形態】
【００３６】
発明の詳細な説明
図１Ａおよび図１Ｂは、標準的なバッグバルブマスク（ＢＶＭ）アセンブリ５０内のその意図される位置に本発明の原理に従って構築される圧力安全デバイス（ＰＳＤ）１０を示す。ＢＶＭ５０は、圧縮バッグ５２と、リザーバ弁５６によって圧縮バッグに接続されるリザーババッグ５４と、呼気終末陽圧（ＰＥＥＰ）弁５８と、安全弁６０とを含む。圧縮バッグ５２、ＰＥＥＰ弁５８、および安全弁６０は全て、呼吸マスク７０を除去可能に受け取るためのコネクタポート６４を有するマニホールド６２に接続される。呼吸マスク７０は、典型的には、一方の表面上に、使用時に患者の口および鼻にわたって設置するためのエアクッション７２と、マニホールド６２のコネクタポート６４に取外可能に噛合するためのコネクタ取付具７４とを有する。一般的には、マニホールド６２上のコネクタポート６４は、オス型コネクタであり、呼吸マスク７０上のコネクタ取付具７４は、メス型取付具であるが、本発明は、ねじコネクタと差込コネクタとラッチコネクタと同等物とを含む任意の対の取外可能なコネクタと協働するように適合されることができる。
【００３７】
これまでに説明されるように、ＢＶＭ５０は、完全に従来型であり、マニホールド６２のコネクタポート６４が呼吸マスク７０のコネクタ取付具７４の中へ直接挿入されると、使用できる状態になる。通常、少なくとも呼吸マスク７０は、使い捨て可能であり、使用前は滅菌梱包の中に保たれる。
【００３８】
例示的実施形態では、本発明のＰＳＤは、真上で説明されるＢＶＭ５０等の標準的なＢＶＭとの併用を対象とする。ＰＳＤは、種々の方法で構築され得るが、メインコンポーネントは、遮断弁等の「自動流動低減弁」を含み、過剰な流動および／または圧力が呼吸マスク７０に送達されることを防止する。ＰＳＤ１０はまた、患者の吐出がＢＶＭに戻ることを防止する（典型的には、吐出流動をＰＳＤ内の開口部を通して外向きに再指向する）一方向弁を含んでもよい。
【００３９】
本発明の「自動流動低減弁」、すなわち、「ＡＦＲＤ」は、種々の形態のうちのいずれか１つをとることができる。典型的には、下記に説明されるようなドーム形状のフラップ弁またはばね荷重された閉止弁であるが、ＡＦＲＤは、患者への吸込流路に沿って位置することが可能であり、流動または圧力が最大閾値を超過するときにはいつでも圧縮バッグから患者への呼吸ガスの流動を低減または停止させる任意のタイプの圧力応答弁または流動応答弁であることができる。
【００４０】
再び図１Ａおよび図１Ｂを参照すると、従来のバッグバルブマスクアセンブリ（ＢＶＭ）は、圧縮バッグ５２と、リザーババッグ５４と、リザーバ弁５６と、ＰＥＥＰ弁５８と、安全弁６０と、酸素管６１とを備える。圧縮バッグ５２、安全弁６０、およびＰＥＥＰ弁５８は全て、その下側端部上にコネクタポート６４を有するマニホールド６２に接続される。特に、圧縮バッグ５２は、酸素管６１からマニホールド６２を通してコネクタポート６４の外に呼吸ガスを送達するように構築される。
【００４１】
従来のＢＶＭでは、その下側表面上にエアクッション７２と、上側表面上にコネクタ取付具７４とを有する呼吸マスク７０は、マニホールド６２に直接接続される。特に、コネクタポート６４は、典型的には、マニホールドからの呼吸ガスが呼吸マスク７０の中へ直接流入するようにメス型コネクタ取付具７４と嵌合するオス型取付具である。ＢＶＭは、次いで、患者の鼻および口にわたってエアクッション７２を設置し、圧縮バッグ５２を手動で圧搾し、呼吸ガスを患者に送達することによって、使用され得る。
【００４２】
しかしながら、本発明によると、圧力安全デバイス（ＰＳＤ）は、ＢＶＭ５０のコネクタポート６４と呼吸マスク７０のコネクタ取付具７４との間への挿入のために提供されることができる。下記により詳細に説明されるように、圧力安全デバイスは、種々の具体的な形態をとり得るが、圧縮バッグ５２から患者への呼吸ガスの過加圧および／またはオーバーフローを制限するように設計および構成される。
【００４３】
第１の実施形態では、図２に示されるように、ＰＳＤ１０は、バッグポート１４と基部１６とを有する筐体１２を備える。アンブレラ弁１８が、自動流動低減弁として提供され、変形可能シール２０を含み、変形可能シール２０は、典型的には、下記に説明されるように、反転し、流動を遮断または低減させることが可能である円錐形のシールの形態にある。
【００４４】
アンブレラ弁１８は、支持プレート２６上に搭載され、支持プレート２６は、それを通して形成される複数の流動開口部または通路２８を有する。ダガータイプのアンカ２２が、支持プレート２６の中の孔３２の中に搭載され、シールが応力がかかっていない変形していない構成にあるときに、シールの円錐形の周囲が支持プレート２６から離れて上向きに偏向されるように、変形可能シール２０を適切に位置付ける。しかしながら、シール２０の円錐形の周囲は、過剰な圧力または呼吸ガス流動が、変形可能シールの上流側（バッグポートにより近接する側）に生じると、流動開口部または通路２８にわたって下向きに閉鎖する。
【００４５】
支持プレート２６は、支持プレート２６の中の流動開口部２８からの呼吸ガス流出を受け取るように整列させられるダックビル弁３６を有する一方向弁取付具３４の中に搭載される。ダックビル弁は、開放しているアンブレラ弁１８を通して流動する、バッグポート１４から流動する呼吸ガスが、ダックビルを開放し、それを通して自由に流動するように、配向される。しかしながら、患者からの吐出流動が、ダックビル弁３６を閉鎖し、患者の吐出がＢＶＭに戻るように伝送されることを防止する。
【００４６】
ＰＳＤ１０は、その周囲の周りで環状リングに形成される開窓４０の極性を有する底部プレート３８をさらに備える。開窓４０は、ダックビル弁３６によって遮断される吐出ガス流が筐体１２から開窓を通して離れるように下向きかつ外向きに流動することを可能にする任意の種類の通路であり得る。マスク取付具４４が、底部プレートの底部において形成され、図１Ａおよび図１Ｂに図示されるように呼吸マスク７０への接続を提供する。
【００４７】
ここで図３Ａおよび図３Ｂを参照すると、アンブレラ弁１８の変形可能シール２０の円錐形の周囲がその開放した上向きに配置された構成にあるＰＳＤ１０が、示される。この構成では、バッグポート１４に進入する空気流４６が、流動経路の矢印４８によって示されるように、変形可能シール２０の真下に、かつ支持プレート２６の中の流動開口部２８を通して進行する。
【００４８】
対照的に、図３Ｂに示されるように、進入する空気流４６が、変形可能シール２０の上方の流率および／または圧力に関する最大閾値を超過すると、シールは、下向きに押下され、流動開口部２８にわたって閉鎖し、患者への呼吸ガスの送達を停止する（または低減させる）。部分的閉塞が、例えば、変形可能シール２０を穿孔し、シールが閉鎖されたときでさえ残留流動を可能にすることによって、達成され得る。
【００４９】
ここで図４から図６を参照すると、自動流動低減弁としてばね荷重弁を有する第２のＰＳＤ実施形態８０が、図示される。ＰＳＤ８０の筐体１４、一方向弁３４、および底部プレート３８は全て、ＰＳＤ１０に関して以前に説明されたものと同じであってもよい。しかしながら、自動流動逃がし弁は、ガイドポスト９０を伴う支持プレート８８を有するばね荷重弁８６である。ガイドスロット１０２を有するシールプレート９４が、ガイドポスト９０にわたって摺動可能に受け取られ、ばね９２が、ガイドポストの間に設置され、支持プレート８８の支持表面９９上に受け取られる下側端部と、シールプレート９４の下側表面において形成される陥凹１００の中に受け取られる上側端部とを有する。
【００５０】
図５に最良に見られるように、ばね９２は、制約されていない構成にある間、呼吸ガスが、圧縮バッグ５２から流動し得、バッグポート１４を通して中にかつマスク取付具４４を通して外に流動し得るように、支持プレート８８の中の流動開口部９５のかなり上方にシールプレート９４を保持する。しかしながら、呼吸ガス流動４６の流入の圧力および／または流率が最大閾値を超過すると、シールプレート９４は、図５に破線で示される位置に下向きに移動され、開口部９５を閉鎖し、呼吸ガスの流動を阻止または完全に遮断する。
【００５１】
図７Ａおよび図７Ｂに示されるように、患者が息を吐き出すと、コネクタポート６４を通して逆に流動するように試みる吐出ガスの圧力が、ダックビル弁３６を閉鎖し、図７Ａの矢印１０４によって示されるように、吐出ガスを半径方向に外向きに、次いで、底部プレート３８の中に形成される開窓４０を通して下向きに流動させる。このように、吐出ガスは、ＢＶＭの中に戻るように押進されず、汚染を防止する。開窓４０は、吐出の間またはその後に、呼気終末陽圧もしくはＰＥＥＰと称される肺の内側の圧力に変化をもたらすように改変されることができる。開窓３０のサイズおよび／または数の増加は、抵抗を減少させ、ＰＥＥＰを低減させる。同様に、開窓４０のサイズおよび／または数の減少は、呼気に対する抵抗を増加させ、ＰＥＥＰを増加させる。高いＰＥＥＰは、気道が呼気の後に圧潰する傾向を有する慢性閉塞性肺疾患（ＣＯＰＤ）等の症状中に気道を開放した状態に維持することに役立つ。
【００５２】
本発明のＰＳＤを組み込む標準的なＢＶＭが、以下のように使用され得る。片手を用いて、ユーザは、マスク７０を保持し、エアクッション７２を患者の鼻および口にわたって設置し、密封を取得し、空気の漏出を防止する。ユーザの他方の手は、ＢＶＭ５０の圧縮バッグ５２を連続的に圧搾および解放し、リザーババッグ５４からリザーバ弁５６を通してマスク７０に、患者の肺の中へ空気を圧送する。圧縮バッグによって送達される流動または圧力が、本明細書の他所で定義される最大閾値を超過する場合、ＰＳＤ１０のＡＦＲＤ１８または８６が、患者への呼吸ガス流動を低減または停止し、傷害のリスクを低減する。
【００５３】
本発明のデバイスおよび方法は、米国特許第１０，０９８，８０９号ならびに米国特許公開第２００３／０１９２５４７号（その完全な開示は、参照により本明細書に援用される）に説明されるようなケイデンスインジケータ（ｃａｄｅｎｃｅ  ｉｎｄｉｃａｔｏｒ）等の他の単純な特徴（ｒｕｓｔｉｃａｔｏｒ  ｆｅａｔｕｒｅ）と組み合わせて使用されることができる。本発明のデバイスおよび方法はまた、米国特許第６，６０４，５２３号、第６，９８６，３４９号、第７，１９５，０１２号、および第７，２０４，２５１号（その完全な開示は、参照により本明細書に援用される）に説明されるようなインピーダンス閾値デバイス（ＩＴＤ）等、胸腔内圧を管理するためのデバイスと組み合わせて使用されることができる。本発明のデバイスおよび方法は、本デバイスの内または外部にある電子センサと組み合わせて使用され、圧力、体積、手動の換気の頻度、送達圧力、および同等物を記録することができる。
【００５４】
本発明の好ましい実施形態が、本明細書に示され、説明されているが、そのような実施形態が実施例としてのみ提供されることが、当業者に明白となる。多数の変形例、変更、および代用が、本発明から逸脱することなく、当業者に想起される。本明細書に説明される本発明の実施形態への種々の代替物が、本発明を実践する際に採用され得ることを理解されたい。以下の請求項が、本発明の範囲を画定することと、これらの請求項およびそれらの均等物の範囲内の方法ならびに構造が、それによって網羅されることとが意図される。
【図１Ａ】
2021525633.tif 000003
【図１Ｂ】
2021525633.tif 000004
【図２】
2021525633.tif 000005
【図３Ａ】
2021525633.tif 000006
【図３Ｂ】
2021525633.tif 000007
【図４】
2021525633.tif 000008
【図５】
2021525633.tif 000009
【図６】
2021525633.tif 000010
【図７Ａ】
2021525633.tif 000011
【図７Ｂ】
2021525633.tif 000012
【国際調査報告】
2021525633.tif 000013